(57)【要約】      （修正有）【課題】インパクトゾーンを詳細に表現出来、プレイヤー自身が目視出来、スイングチェックを容易に出来るゴルフクラブを提供する。【解決手段】練習用クラブ１は、ヘッド２に複数の発光源３、７を有し、グリップエンド内にバッテリーを有し、ヘッド２内に発光センサー５を有し、フェース角度調整機能を有し、個人差によるフェース角度１４の誤差を４度〜６度の範囲で調整し、フェース上部とバックフェース上部の異色の発光体３、７の軌道の交差位置でインパクトゾーンがチェック可能であり、インパクトゾーンの正しいプロセスを反復練習で行ないながら身に覚えさせる事が出来る。又、センサー５によりスイングの過程内のみＬＥＤランプ３、７を発光し、消費電力も大幅に節約する事が出来る。【選択図】図１
0003229633.tif 000002
【実用新案登録請求の範囲】
【請求項１】
ゴルフクラブのヘッドに複数の発光源を有し、グリップエンド内にバッテリーを有し、ヘッド内にセンサーを有し、フェース開閉調整機能を備え、スイング作動のみ発光して軌道をチェックする事を特徴とする練習用ゴルフクラブ。
【考案の詳細な説明】
【技術の分野】
【０００１】本考案はゴルフスイングのインパクトゾーンを再現し、チェックしスイングコントロールする為の練習用ゴルフクラブである。
【背景技術】
【０００２】ゴルフ練習とはいえ、ボールを数多く打てば良いとは限らない。
理想的なスイングを身体に覚えさせるプロセスとしてインパクトゾーンの大切さを理解し体感してこそ向上してゆくものです。
そして、手軽にスイングを修正出来、アシストしてくれるアシスタントドライハー【０００３】従来この種の練習用具は、特許文献１に記載の簡易練習用クラブが知られている。この練習クラブは、ヘッドに異なる発光源を備えており、ヘッドの開閉に依る軌道を確認出来るものがある。【０００４】そして発光体の軌道によって、クラブヘッドの芯で打つ事や、真っ直ぐな飛球、ドロー、フェード等、変化球を打つ目的が記述している。
【先行技術文献】
【特許文献】
【０００５】
【特許文献１】特開平  １０−５３８１号公報
【考案の概要】
【考案が解決しようとする課題】
【０００６】上記特許文献１にかかる従来技術によると、スイング軌道上でクラブフェースが開閉するのは、ごく自然体であり、軌道上の一点で球筋を表現するのは、微妙に違和感があり問題を有している。【０００７】そこで本考案は、従来技術における上記問を解決しヘッドの開閉に関するより精度の高い正確な開閉度図１（８）を新規に設置し、アシスタントクラブとして提供する事を目的とする。
【課題を解決するための手段】
【０００８】この課題を解決するために上記（特許文献１）に対してスクエアインパクトをより精度を高めて課題を解決の手段として新たなアシスタントクラブとして提供する事を目的とする。【０００９】インパクトを再現する為に、ヘッド図１（３）と（７）に異色の発光体を備え、スイングの過程でグリップエンド内のバッテリーから、ヘッド内部のセンサーを駆動し、図１（３）と（７）の発光体を点灯させ、インパクト直前に２色図１（３）と（７）の発光源で交差（図２、図３、図４）等の位置に依り飛球方向を確認出来る。
又、独自に開発したセンサーを、ヘッド内部に新規に有し  スイングの過程内のみ発光し、消費電力も大幅に節約する事が出来た。
ＬＥＤ直径５ミリ、３．３Ｖ２個有している為、静止（アドレス時、）状態で直視すると眩しく、プレッシャーも感じセンサーを有したことで解決した。【００１０】開閉角度調整機能図１（８）を新規に有しシャフトフレックス  シャフトのキックポイント（曲り位置）ボールの位置等個人差に合せて開閉角度図１（８）のアライメントが不可欠です
目標方向に対して図１（９）〜（１０）の開閉角度をアライメントできる特徴とするスイングチェック練習クラブ。【００１１】本考案ではスクエアインパクトをさらに分かりやすくする為にクラブの構造を解明し、インパクトの要点を表わした。
▲１▼アドレスのグリップ位置は逆三角形図８（３３）で、やや中央で構えるのが一般的です。
▲２▼インパクトのグリップの位置がアドレス時より、図８（３４）目標方向に約１０ｃｍ移動する為、フェース角も少し開く事になる。
▲３▼ダウンスイングでは、ヘッドの重さと、ヘッドの重心点図１（１２）が目標方向反対側に位置しており、シャフトが弓形図（３５に捩れてフェースが開く
▲４▼インパクト直前では弓形に捩れたシャフトが重心点図１（１２）の反動で目標方向に戻る動作で逆弓形図９（３６）になり、捩り戻りの現象が起き、フェース角も閉じる動きに変る
▲５▼ボールに接触直前は高速度カメラの画像解析でも約９度図１０、図１１、フェースが開いているのが確認出来る。
研究者らの著書による記述ではインパクトでボールに接触移動して球離れ迄、０．５ミリ秒、２〜３ｃｍの密着移動と言われている。
▲６▼物体の運動には慣性があるので、接触時間直前から捩れ戻りの現象が円滑に働いている為、密着移動後、球離れ時のフェースの方向が最大のポイントになる。その為には、シャフトローテイションのサポートが必要不可欠です。
【考案の効果】
【００１２】測定器では測定出来ますが、２５００分の１秒の一瞬は人間には感知出来ない。その複雑な一瞬を目視出来てこそスイングチェックを容易に出来る様、上記１１▲１▼〜▲６▼を参考に現物に擬して解明し、インパクトの再現を練習用に設計した。インパクト直前のフェース角９度の開きについて、いろいろ条件が伴いました。
ヘッドスピード、シャフトフレックス、シャフトキックポイント等、個人差によってフェースの方向性、即ち開閉角度の誤差があり、本考案は、フェース角の開閉を個々の条件に満たす為に開閉調整機能を有し、ヘッドスピード（４０メートル／秒）で開閉度、約５度で球離れ位置がスケアーな角度で解明出来たのがポイント【００１３】スイングを解析してモニターで確認するシステムは他に存在している
しかし、自身が直接目視出来るものは数少ない。素振りのスペースがあればどこでも目視出来てこそ容易に反復練習が可能となり、スイングの技術を高められるのが特徴とする練習用クラブ【００１４】目標方向に対して、フェース面をスクエアの状態で維持しながらボールを長く接触移動出来るのは、プロや一部のアスリートの方に見受けられます。
本来ゴルフクラブは、スライスボール（右回転）が出やすい構造になっています。そんな現理を理解出来てこそ、上達の近道になるのではと、特別に工夫された、アシスタントゴルフクラブを提供する。
【考案を実施する為の形態】
【００１５】本考案の第１実施形態のアシスタントクラブについて図面１に従って説明する。
図１に示すようにアシスタントクラブは、ヘッド、シャフト、グリップ共にゴルフプレーをするのと同仕様のパーツで構成されていて、スイングにおいて違和感もなく、特にクラブの特有性を感じ得られアシスタントクラブで得られるものは、大変大きいものです。
【００１６】図１に示す（２０）のバッテリーケースは、単４電池２本入りでシャフト内にコンパクトに納められている。単４電池２本、３Ｖの電源でＬＥＤランプ  ３．３Ｖ  ２０ｍアンペア図（２）と（３）２ケ使用で通常電池寿命連続３００時間程使う事が出来るが独自に開発した、センサー（図６）を有しスイング中心に発光し、電池ロスを大幅に削減され、目に優しく消費電力も大幅に節約する事に成功したのも特徴である。
【００１７】図１に示す（８）は開閉度を調整する機能を有し（３）のＬＥＤランプと（７）異色のＬＥＤランプがスイングの中でクロスする位置をどの位置に設定するかでボールの飛球方行が決め手になる様設計したのも最大の特徴である。
【実施列】
【００１８】本発明は一般に使用されているゴルフクラブと同仕様のクラブに複数の光源を有し、その軌跡で、スイング中のヘッドの動作を目視し、スクエアインパクトを再現し、反復運動で身体に覚えさせる為のゴルフクラブです。
（１１）。（１３）で述べた様に、ダウンスイングでは、ヘッドが開く特性がありボールに接触直前では、フェースが開いており、戻す動きをシャフトローテーション（サポート）が不可欠です。そして、フェースのオープン角度図１の（２）と（３）の位置で、フェース面に対して、４度〜６度に設定し、ボールに接触して密着移動し、球離れの位置を仮定して、スクエアインパクトとして本番のクラブで試打する事が大切です。
又、アシスタントドライバーで軽量のボールを打つ事も出来ます。
【図面の簡単な説明】
【００１９】
【図１】ゴルフクラブ本体で、ヘッドに２個のＬＥＤランプ装着し、バッテリーケースの全体図
【図２】ストレートボールの軌跡を示した図
【図３】左回転ボールのヘッド開閉の軌跡を示した図
【図４】右回転ボールのヘッド開閉の軌跡を示した図
【図５】ＬＥＤ、センサー取付パーツの図
【図６】センサー本体
【図７】開閉角度調整メモリー
【図８】アドレス時のグリップ位置とインパクトのグリップ位置
【図９】ダウンスイングからフォローに対して捩りしなり戻りしなりのプロセス
【図１０】インパクト直前フェース角度の位置
【図１１】インパクト直前フェースの写真
【符号の説明】
【００２０】１    アシスタントドライバー
２    クラブヘッド
３    ＬＥＤランプ  白色
４    ＬＥＤ取付パーツ
５    センサー
６    センサー取付パーツ
７    ＬＥＤランプ青色
８    開閉解度調整パーツ
９    開閉角度  ７度
１０  開閉角度  ３度
１１  シャフト軸線  ９０度
１２  内部重心点  及び軸線深度
１３  シャフト軸線
１４  フェース角
１５  グリップ
１６  リード線
１７  シャフト
１８  電池押えバネ
１９  コネクター
２０  バッテリーケース
２１  ストレートボールの軌道
２２  左回転ボール、ドロー系の軌道
２３  右回転ボール、フェード系の軌道
２４  ＬＥＤ、センサー取付パーツ
２５  センサー本体
２６  センサー外部
２７  調整ビス押えパーツ
２８  スプリング押えビス
２９  押しバネ
３０  電極
３１  電極受け軸
３２  開閉角度調整メモリー
３３  アドレスのグリップの位置
３４  インパクト時のグリップの位置
３５  ダウンスイングのヘッドの捩れ動差
３６  インパクト後捩れ戻り動差
３７  インパクト直前、フェース角度の位置
３８  インパクト直前、フェース角の写真
【図１】
0003229633.tif 000003
【図２】
0003229633.tif 000004
【図３】
0003229633.tif 000005
【図４】
0003229633.tif 000006
【図５】
0003229633.tif 000007
【図６】
0003229633.tif 000008
【図７】
0003229633.tif 000009
【図８】
0003229633.tif 000010
【図９】
0003229633.tif 000011
【図１０】
0003229633.tif 000012
【図１１】
0003229633.tif 000013
【手続補正書】
【提出日】令和2年6月30日(2020.6.30)
【手続補正１】
【補正対象書類名】実用新案登録請求の範囲
【補正対象項目名】全文
【補正方法】変更
【補正の内容】
【実用新案登録請求の範囲】
【請求項１】
ゴルフクラブのヘッドに複数の発光源を有し、グリップエンド内にバッテリーを有し、ヘッド内に発光センサーを有し、フェース角度開閉調整機能を有し、シャフトフレックスやヘッドスピード等で生じた個人差によるフェス角度の誤差をバックフェースの開閉角度調整メモリーによって４度〜６度の範囲で調整し、ベストなスクエアインパクトを再現する為のアライメントが不可欠であってフェース上部とバックフェース上部の異色の発光体の交差位置でインパクトゾーンが、チェック可能な特徴ある練習用クラブ。
【手続補正２】
【補正対象書類名】明細書
【補正対象項目名】００１８
【補正方法】変更
【補正の内容】
【００１８】本発明は一般に使用されているゴルフクラブと同仕様のクラブに複数の光源を有し、その軌跡でスイング中のヘッドの動作を目視し、スクエアインパクトを再現し、反復運動で身体に覚えさせる為のゴルフクラブです。
（１１）（１３）で述べた様に、ダウンスイングでは、ヘッドが開く特性があり、ボールに接触直前では、フェースが開いており、戻す動きをシャフトローテーション（サポート）が不可欠です。
そして、フェースのオープン角度図１の（３）と（７）の位置で、フェース面に対して、４度〜６度に設定し、ボールに接触して密着移動し、球離れの位置を仮定して、スクエアインパクトとして本番のクラブで試打する事が大切です。
又、アシスタントドライバーで軽量のボールを打つ事も出来ます。
【手続補正書】
【提出日】令和2年9月2日(2020.9.2)
【手続補正１】
【補正対象書類名】実用新案登録請求の範囲
【補正対象項目名】全文
【補正方法】変更
【補正の内容】
【実用新案登録請求の範囲】
【請求項１】
ゴルフクラブのヘッドに複数の発光源を有し、グリップエンド内にバッテリーを有し、ヘッド内に発光センサーを有し、フェース角度開閉調整機能を有し、シャフトフレックスやヘッドスピード等で生じた個人差によるフェース角度の誤差をバックフェースの開閉角度調整メモリーによって４度〜６度の範囲で調整し、ベストなスクエアインパクトを再現する為のアライメントが不可欠であってフェース上部とバックフェース上部の異色の発光体の交差位置でインパクトゾーンがチェック可能な特徴ある練習用クラブ。
【手続補正書】
【提出日】令和2年9月2日(2020.9.2)
【手続補正１】
【補正対象書類名】実用新案登録請求の範囲
【補正対象項目名】全文
【補正方法】変更
【補正の内容】
【実用新案登録請求の範囲】
【請求項１】
ゴルフクラブのヘッドに複数の発光源を有し．グリップエンド内にバッテリーを有し、ヘッド内に発光センサーを有し、フェース角度開閉調整機能を有し、シャフトフレックスやヘッドスピード等で生じた個人差によるフェース角度の誤差をバックフェースの開閉角度調整メモリーによって４度〜６度の範囲で調整し、ベストなスクエアインパクトを再現する為のアライメントが不可欠であってフェース上部とバックフェース上部の異色の発光体の交差位置でインパクトゾーンがチェック可能な特徴ある練習用クラブ。